(57)【要約】【課題】平面度が高いスクリーンを提供すること。【解決手段】スクリーン基材５を有するスクリーン１であって、スクリーン基材５は、複数の生地５１，５２を備え、各生地５１，５２は、シート状部５１１，５２１と、当該シート状部５１１，５２１の少なくとも一方の面５１１Ｂ，５２１Ｂに設けられる接続部５１２，５２２とを有し、接続部は、他の生地の接続部に着脱自在に接続される。スクリーン基材５は、当該スクリーン１の使用時に、各生地５１，５２の接続部５１２，５２２が互いに接続されて、当該各生地５１，５２が組み合わされることで構成される。【選択図】図１
2011022260.tif 000002
【特許請求の範囲】
【請求項１】
スクリーン基材を有するスクリーンであって、
前記スクリーン基材は、複数の生地を備え、
前記各生地は、
シート状部と、
前記シート状部の少なくとも一方の面に設けられる接続部とを有し、
前記接続部は、他の前記生地の接続部に着脱自在に接続され、
前記スクリーン基材は、当該スクリーンの使用時に、前記各生地の接続部が互いに接続されて、当該各生地が組み合わされることで構成されることを特徴とするスクリーン。
【請求項２】
請求項１に記載のスクリーンにおいて、
前記複数の生地は、当該各生地に作用する応力の作用方向に対向するように、それぞれの前記接続部により互いに接続されることを特徴とするスクリーン。
【請求項３】
請求項１又は請求項２に記載のスクリーンにおいて、
前記接続部は、前記一方の面に沿う第１方向に沿って所定の間隔を隔てて前記一方の面に配設される複数の嵌め込み部を有し、
前記生地は、当該生地の前記複数の嵌め込み部が、他の前記生地の前記複数の嵌め込み部間に嵌まり込むことにより、当該他の生地と組み合わされることを特徴とするスクリーン。
【請求項４】
請求項３に記載のスクリーンにおいて、
前記嵌め込み部は、当該嵌め込み部が配設される前記一方の面から離間する側の端部に、当該一方の面に近接する側の端部より大きく形成された膨出部を有し、
一方の前記生地の嵌め込み部と、他方の前記生地の嵌め込み部とは、それぞれの前記膨出部にて互いに噛み合うことを特徴とするスクリーン。
【請求項５】
請求項３又は請求項４に記載のスクリーンにおいて、
前記複数の生地の少なくともいずれかに配設される前記嵌め込み部は、他の前記生地に配設される前記嵌め込み部が当接する部位に弾性部を有することを特徴とするスクリーン。
【請求項６】
請求項３から請求項５のいずれかに記載のスクリーンにおいて、
前記接続部は、前記一方の面に沿い、かつ、前記第１方向に直交する第２方向に沿って前記シート状部を支持する支持部を有することを特徴とするスクリーン。
【請求項７】
請求項１から請求項６のいずれかに記載のスクリーンにおいて、
前記各生地は、当該各生地が有する前記接続部により、互いに面で接続されることを特徴とするスクリーン。
【請求項８】
請求項１から請求項７のいずれかに記載のスクリーンにおいて、
前記複数の生地が収納される筐体と、
前記筐体内に設けられ、当該筐体内から前記複数の生地が引き出される際に、当該複数の生地を組み合わせる組合せ部と、
前記筐体内に設けられ、前記複数の生地をそれぞれ巻き取る複数の巻取軸とを有することを特徴とするスクリーン。
【発明の詳細な説明】
【技術分野】
【０００１】
本発明は、スクリーンに関する。
【背景技術】
【０００２】
従来、プロジェクター等の画像投射装置から投射される画像光を反射させることにより、画像を表示させる反射型のスクリーンが知られている。このようなスクリーンとして、スクリーン基材が巻き取られて収納されるロールスクリーン、高い剛性を有するパネルにスクリーン基材が貼付されたパネルスクリーン、及び、矩形状の枠内にスクリーン基材が張り込まれた張り込みスクリーンが知られている。
これらのうち、パネルスクリーン及び張り込みスクリーンは、平面度は高いものの、収納することができないという問題がある。一方、ロールスクリーンでは、スクリーン基材の周辺部及び中央部にしわや波打ちが生じることがあるため、当該スクリーン基材は、平面度が低く、投射された画像が劣化しやすいという問題がある。
【０００３】
このようなロールスクリーンの問題に対して、スクリーン基材（スクリーン本体）における被投射面とは反対側に、幅方向に延出する棒材を複数配設し、当該スクリーン基材の平面度を高めたスクリーンが知られている（例えば、特許文献１参照）。
【先行技術文献】
【特許文献】
【０００４】
【特許文献１】特開２００９−５８８８１号公報
【発明の概要】
【発明が解決しようとする課題】
【０００５】
しかしながら、特許文献１に記載のスクリーンでは、巻取軸により、棒材の延出方向に略直交し、かつ、被投射面に沿う方向にスクリーン基材を巻き取って収納する場合には、当該スクリーン基材に巻取り癖が付き、伸長されたスクリーン基材にカールが生じやすいという問題がある。また、当該スクリーンのように、スクリーン基材をガイドするレール部材を設けると、スクリーン基材を引き出す際に、当該レール部材も引き出さなくてはならず、操作が煩雑となるという問題がある。
【０００６】
本発明の目的は、平面度を高めることができるスクリーンを提供することである。
【課題を解決するための手段】
【０００７】
前記した目的を達成するために、本発明のスクリーンは、スクリーン基材を有するスクリーンであって、前記スクリーン基材は、複数の生地を備え、前記各生地は、シート状部と、前記シート状部の少なくとも一方の面に設けられる接続部とを有し、前記接続部は、他の前記生地の接続部に着脱自在に接続され、前記スクリーン基材は、当該スクリーンの使用時に、前記各生地の接続部が互いに接続されて、当該各生地が組み合わされることで構成されることを特徴とする。
【０００８】
本発明によれば、スクリーンの使用時に、複数の生地がそれぞれの接続部により互いに接続されてスクリーン基材が構成されるので、当該スクリーン基材の剛性を高めることができる。従って、スクリーン基材の平面度を高めることができる。また、スクリーンの使用時に、これら生地が接続部にて接続されることでスクリーン基材が形成されるので、当該スクリーンの不使用時には、各生地を分離して収納することができる。
【０００９】
本発明では、前記複数の生地は、当該各生地に作用する応力の作用方向に対向するように、それぞれの前記接続部により互いに接続されることが好ましい。
このような接続部の配置位置としては、生地の中央や端部を例示できる。
本発明によれば、ある生地に作用する応力を、他の生地に作用する応力により相殺することができる。すなわち、各生地に前述のカールが生じる場合に、当該カールの方向に対向するように、当該各生地を向かい合わせに組み合わせることにより、スクリーン基材にカールが生じることを抑制することができる。従って、スクリーン基材の平面度を確実に高めることができる。
【００１０】
本発明では、前記接続部は、前記一方の面に沿う第１方向に沿って所定の間隔を隔てて前記一方の面に配設される複数の嵌め込み部を有し、前記生地は、当該生地の前記複数の嵌め込み部が、他の前記生地の前記複数の嵌め込み部間に嵌まり込むことにより、当該他の生地と組み合わされることが好ましい。
このような嵌め込み部の形状は、各生地を組み合わせ可能であればよい。例えば、嵌め込み部が第１方向の両端に突出部と凹部とを有し、ある生地の嵌め込み部の突出部が、他の生地の嵌め込み部の凹部に挿入されることで、各生地が組み合わされるように構成してもよい。
【００１１】
本発明によれば、ある生地の嵌め込み部が他の生地の嵌め込み部間に嵌まり込むことにより、各生地を強固に接続することができる。従って、これら生地により形成されるスクリーン基材の平面度をより一層高めることができる。
なお、各嵌め込み部が、接続部が設けられる一方の面に沿い、かつ、第１方向に直交する第２方向の両端に設けられている場合には、各生地を一層強固に接続できるので、スクリーン基材の平面度を更に高めることができる。
【００１２】
本発明では、前記嵌め込み部は、当該嵌め込み部が配設される前記一方の面から離間する側の端部に、当該一方の面に近接する側の端部より大きく形成された膨出部を有し、一方の前記生地の嵌め込み部と、他方の前記生地の嵌め込み部とは、それぞれの前記膨出部にて互いに噛み合うことが好ましい。
本発明によれば、一方の生地の嵌め込み部間に、他方の生地の嵌め込み部が嵌まり込んだ際に、当該一方の生地の隣接する２つの嵌め込み部の膨出部と、他方の生地の嵌め込み部の膨出部とが互いに噛み合うこととなる。これによれば、一方の生地から他方の生地が剥離することを防ぐことができる。従って、各生地を強固に接続することができるほか、これら各生地により構成されるスクリーン基材の平面度を一層高めることができる。
【００１３】
本発明では、前記複数の生地の少なくともいずれかに配設される前記嵌め込み部は、他の前記生地に配設される前記嵌め込み部が当接する部位に弾性部を有することが好ましい。
本発明によれば、嵌め込み部が有する弾性部の弾力及び摩擦力により、各生地の嵌め込み部の動きを規制することができる。これによれば、互いに嵌まり込む各生地の嵌め込み部のうち、一方の生地の嵌め込み部間から他方の生地の嵌め込み部が脱落すること、すなわち、一方の生地から他方の生地が剥離することを一層確実に抑制することができる。従って、嵌め込み部同士の嵌め込み状態をより強固に維持することができ、スクリーン基材の平面度を更に高めることができる。
【００１４】
本発明では、前記接続部は、前記一方の面に沿い、かつ、前記第１方向に直交する第２方向に沿って前記シート状部を支持する支持部を有することが好ましい。
本発明によれば、支持部が第２方向に沿ってシート状部を支持することにより、当該シート状部にしわ等が発生することを防ぐことができる。
【００１５】
また、支持部が、当該支持部におけるシート状部側の面の全面に亘って、当該シート状部と接続される場合には、より確実にしわ等の発生を防ぐことができる。なお、このような支持部を設ける場合には、当該シート状部において支持部が配設されている側が外側となり、配設されていない側が内側となる反りが生じる場合がある。換言すると、当該第２方向の両端が、シート状部の中央に比べて突出する反りが生じる場合がある。このような反りは、支持部が合成樹脂等により形成され、当該支持部の剛性が比較的高くない場合に顕著に生じる。一方、支持部の剛性を高めるために、当該支持部を金属により形成することが考えられるが、例えば、１００インチ程度のスクリーン基材では、接続部の重量がかさみ、スクリーン全体が重くなる。
【００１６】
これに対し、各支持部の剛性が比較的高くなくても、接続部が設けられた面同士が互いに対向するように各生地が接続されることで、各シート状部の反りの原因となる応力を相殺することができる。従って、スクリーン基材の平面性をより一層高めることができるほか、金属製の支持部を設ける場合に比べ、スクリーン基材の軽量化を図ることができる。
なお、前述の嵌め込み部が、第２方向に沿って延出する棒状形状を有する場合には、当該嵌め込み部と支持部とを兼用することも可能である。
【００１７】
本発明では、前記各生地は、当該各生地が有する前記接続部により、互いに面で接続されることが好ましい。
本発明によれば、各生地の接続部により、当該各生地が互いに面で接続されることにより、スクリーン基材の平面度を高めることができるほか、各生地の剥離をより確実に防止することができる。
【００１８】
本発明では、前記複数の生地が収納される筐体と、前記筐体内に設けられ、当該筐体内から前記複数の生地が引き出される際に、当該複数の生地を組み合わせる組合せ部と、前記筐体内に設けられ、前記複数の生地をそれぞれ巻き取る複数の巻取軸とを有することが好ましい。
なお、組合せ部としては、例えば、各生地を挟む位置に配置され、当該生地の引出を案内する一対の部材とすることができ、ガイドレールや、互いに逆方向に回転するローラーを挙げることができる。
【００１９】
本発明によれば、筐体内から各生地を引き出してスクリーン基材を形成する際に、組合せ部により、各生地の組み合わせを適切に行うことができる。従って、筐体内に収納された各生地から、前述のスクリーン基材を適切かつ簡易に構成することができる。
また、各巻取軸により、筐体内の生地を巻き取ることができるので、筐体の省スペース化を図ることができ、当該筐体、ひいては、スクリーンの小型化を図ることができる。
【図面の簡単な説明】
【００２０】
【図１】本発明の第１実施形態に係るスクリーンを示す縦断面図。
【図２】前記実施形態におけるスクリーン基材の一部を拡大して示す側面図。
【図３】前記実施形態における生地に作用する応力の作用方向を示す図。
【図４】前記実施形態の変形であるスクリーンを示す側面図。
【図５】前記実施形態の変形であるスクリーンを示す側面図。
【図６】本発明の第２実施形態に係るスクリーンを示す側面図。
【図７】本発明の第３実施形態に係るスクリーンを示す側面図。
【図８】前記実施形態におけるスクリーンを示す斜視図。
【図９】本発明の第４実施形態に係るスクリーンを示す側面図。
【発明を実施するための形態】
【００２１】
〔１．第１実施形態〕
以下、本発明の第１実施形態を図面に基づいて説明する。
〔スクリーンの全体構成〕
図１は、本実施形態に係るスクリーン１を示す側面図である。
本実施形態のスクリーン１は、プロジェクター等の画像投射装置から投射された画像を反射して表示するものである。このスクリーン１は、図１に示すように、筐体２と、当該筐体２内に収納される巻取装置３、組合せ部４及びスクリーン基材５とを備える。このスクリーン１では、詳しくは後述するが、使用時に筐体２内の複数の巻取軸（後述する巻取軸３１，３２）から複数の生地（後述する生地５１，５２）がそれぞれ引き出され、組合せ部４により、当該複数の生地が互いに組み合わされることで、被投射面を有するスクリーン基材５が形成される。
【００２２】
筐体２は、本実施形態では、天井等に固定される箱状筐体である。この筐体２の下面２１には、内部に収納されたスクリーン基材５を引き出すための開口部２２が、当該スクリーン基材５の幅寸法に応じて形成されている。
巻取装置３は、スクリーン基材５を筐体２内に巻き取る。この巻取装置３は、スクリーン基材５を構成する生地５１，５２の一端と係合し、当該生地５１，５２をロール状にそれぞれ巻き取る巻取軸３１，３２を備える。これら巻取軸３１，３２は、本実施形態では、当該各巻取軸３１，３２の軸方向が互いに平行となるように、所定間隔を隔てて配置される。このような巻取軸３１，３２は、スプリングロールで構成することが可能なほか、モーター等の駆動によって回転するローラーで構成することも可能である。
【００２３】
組合せ部４は、スクリーン基材５が筐体２から引き出される際に、各巻取軸３１，３２から延びる生地５１，５２を互いに接触させるようにガイドし、当該生地５１，５２を組み合わせる機能を有する。この組合せ部４は、本実施形態では、互いに逆方向に回転する一対のローラー４１，４２により構成され、これら各ローラー４１，４２は、巻取軸３１，３２の間で、かつ、各ローラー４１，４２の軸方向が巻取軸３１，３２と略平行になるように配置される。そして、スクリーン基材５の引出時に、ローラー４１，４２は、それぞれ近い側の巻取軸３１，３２と同方向に回転する。
なお、組合せ部４は、ローラー４１，４２に代えて、当該各生地５１，５２をそれぞれ案内するガイド部材により構成することもできる。
【００２４】
〔スクリーン基材の構成〕
スクリーン基材５は、筐体２から引き出されて利用され、前述の画像投射装置から画像が投射される被投射面を形成する。このスクリーン基材５は、前述のように、各巻取軸３１，３２にそれぞれ一端が係合する生地５１，５２が組み合わされて構成される。なお、これら生地５１，５２の下端は、互いに接続された状態で維持されており、当該下端には、スクリーン基材５の引出状態を維持するための錘９が設けられている。
【００２５】
生地５１は、略矩形状のシート材により形成されたシート状部５１１と、当該シート状部５１１の一方の面に設けられる接続部５１２とを有する。生地５２は、シート状部５１１と同じ素材により、略同寸法に形成されたシート状部５２１と、当該シート状部５２１の一方の面に設けられる接続部５２２とを有する。
これらシート状部５１１，５２１における面５１１Ａ，５２１Ａ（巻取軸３１，３２により巻き取られる際に内側を向く面５１１Ａ，５２１Ａ）の少なくとも一方は、画像が投射される被投射面である。
【００２６】
接続部５１２，５２２は、生地５１，５２が組み合わされる際に互いに対向するシート状部の面５１１Ｂ，５２１Ｂ（面５１１Ａ，５２１Ａとは反対側の面５１１Ｂ，５２１Ｂ）に設けられ、他方の接続部と着脱自在に接続される。
これら接続部５１２，５２２は、それぞれ、スクリーン基材５の筐体２からの引出方向Ａ（本発明の第１方向）に沿って等間隔に配設された複数の嵌め込み部５１２１，５２２１を有し、これら嵌め込み部５１２１，５２２１により、接続部５１２，５２２は、面５１１Ｂ，５２１Ｂの略全面に亘って設けられる。これら嵌め込み部５１２１の配設間隔は、嵌め込み部５２２１の引出方向Ａに沿う寸法に応じて設定され、また、嵌め込み部５２２１の配設間隔は、嵌め込み部５１２１の引出方向Ａに沿う寸法に応じて設定されている。
【００２７】
〔嵌め込み部の構成〕
図２は、スクリーン基材５の一部を拡大して示す側面図である。
このような嵌め込み部５１２１，５２２１は、図１及び図２に示すように、断面視略二等辺三角形状（より詳しくは、頂点部分が面取り加工された断面視略正三角形状）を有する合成樹脂製の棒状部材として構成されている。
このうち、嵌め込み部５１２１は、面５１１Ｂの幅方向（面５１１Ｂに沿い、かつ、引出方向Ａに略直交する方向であり、本発明の第２方向）に沿って延出し、当該幅方向に沿って面５１１Ｂを支持するように、当該面５１１Ｂに配設される。同様に、嵌め込み部５２２１は、面５２１Ｂの幅方向に沿って延出し、当該幅方向に沿って面５２１Ｂを支持するように、当該面５２１Ｂに配設される。
【００２８】
具体的に、嵌め込み部５１２１，５２２１は、面５１１Ｂ，５２１Ｂ側の面が、全面に亘って当該面５１１Ｂ，５２１Ｂに接続されるように取り付けられる。すなわち、嵌め込み部５１２１，５２２１は、本発明の支持部を兼ねるものである。
そして、上述のように、生地５１，５２が組み合わされた際に、嵌め込み部５１２１，５２２１がスクリーン基材５の略全体に亘って嵌まり合うように、当該嵌め込み部５１２１，５２２１は配設されている。従って、生地５１，５２は、引出方向Ａ及び幅方向において全体的に面で接続される。
【００２９】
これら嵌め込み部５１２１，５２２１は、頂角に対向する対辺が面５１１Ｂ，５２１Ｂと略平行となるように、当該頂角に対応する部位が面５１１Ｂ，５２１Ｂに取り付けられる。換言すると、嵌め込み部５１２１は、面５１１Ｂ側とは反対側の端部に、当該面５１１Ｂに沿って膨出して、当該面５１１Ｂ側の端部より寸法が大きい膨出部５１２２を有する。また、嵌め込み部５２２１は、面５２１Ｂ側とは反対側の端部に、当該面５２１Ｂに沿って膨出して、当該面５２１Ｂ側の端部より寸法が大きい膨出部５２２２を有する。
【００３０】
〔生地の組み合わせ〕
前述の生地５１，５２は、巻取軸３１，３２からの引出時に、前述の組合せ部４により嵌め込み部５１２１，５２２１が互いに噛み合うことで組み合わされる。
具体的に、巻取軸３１，３２から引き出された各生地５１，５２は、ローラー４１，４２によりガイドされ、面５１１Ｂと面５２１Ｂとが近接する。この際に、各生地５１，５２が引き出されるに従って、嵌め込み部５１２１，５２２１のうちの一方の嵌め込み部間に他方の嵌め込み部が嵌り込み、これら各嵌め込み部５１２１，５２２１が互いに噛み合うことで、生地５１と生地５２とが組み合わされる。
【００３１】
詳述すると、膨出部５１２２が、隣接する２つの嵌め込み部５２２１における面５２１Ｂ側の端部間に嵌合され、同様に、膨出部５２２２が、隣接する２つの嵌め込み部５１２１における面５１１Ｂ側の端部間に嵌合される。これにより、各膨出部５１２２，５２２２、ひいては、各嵌め込み部５１２１，５２２１が互いに噛み合って、生地５１，５２のうちの一方から他方が剥離することが規制される。これにより、当該各生地５１，５２の接続状態が維持され、スクリーン基材５が形成される。
なお、各生地５１，５２が巻取軸３１，３２により巻き取られる際には、各ローラー４１，４２にて当該各生地５１，５２が引出方向Ａに対して傾斜し、互いに反対方向に引かれる。このため、各嵌め込み部５１２１，５２２１の嵌合状態が解除され、接続部５１２，５２２が互いに離間する。これにより、巻取軸３１，３２が生地５１，５２を個別に巻き取る。
【００３２】
〔各生地に作用する応力〕
ここで、各生地５１，５２に作用する応力について説明する。
図３は、生地５１に作用する応力の作用方向を示す図である。
生地５１は、図３に示すように、巻取軸３１によりロール状に巻き取られるために巻取り癖が付く。このため、生地５１には、引出方向Ａ側の端部が面５１１Ａ側に巻かれる曲げ応力（矢印Ｂで示す方向の応力）が作用して、当該生地５１にカール（湾曲）が生じる。また、嵌め込み部５１２１は合成樹脂により形成されているので、金属により形成されている場合に比べ、当該嵌め込み部５１２１の剛性は比較的低い。このため、生地５１における幅方向の両端が中央に比べて各嵌め込み部５１２１が配設された側とは反対側に湾曲する応力（矢印Ｃで示す方向の応力）が作用して、生地５１には反り（湾曲）が生じる。
このような生地５１の変形は、生地５２においても同様に生じる。そして、これら生地５１，５２のいずれかを単独でスクリーン基材として利用する場合には、当該生地５１，５２の変形により、投射された画像が劣化する（当該画像に歪みが生じる）。
【００３３】
これに対し、嵌め込み部５１２１が配設された面５１１Ｂと、嵌め込み部５２２１が配設された面５２１Ｂとが互いに対向するように、各生地５１，５２が接続されることにより、カール及び反りの原因となる応力を、それぞれ相殺することができる。従って、スクリーン基材５の平面度を向上することができ、投射された画像の劣化を防止することができる。
【００３４】
以上説明した本実施形態のスクリーン１によれば、以下の効果がある。
スクリーン１の使用時に、接続部５１２，５２２により、各生地５１，５２が組み合わされてスクリーン基材５が構成されるので、各生地５１，５２をスクリーン基材として単体で用いる場合に比べ、スクリーン基材５の剛性を高めることができる。従って、スクリーン基材５の平面度を高めることができる。
【００３５】
巻取軸３１，３２により巻き取られる際に外側となり、かつ、接続部５１２，５２２が設けられる面５１１Ｂ，５２１Ｂを対向させるようにして、各生地５１，５２は当該接続部５１２，５２２により接続される。これによれば、当該巻取軸３１，３２によって巻き取られることにより生じるカールの原因となる応力（曲げ応力）を、各生地５１，５２により相殺することができる。従って、スクリーン基材５の平面度を確実に高めることができる。
【００３６】
接続部５１２，５２２は、複数の嵌め込み部５１２１，５２２１を有し、当該嵌め込み部５１２１，５２２１が互いに嵌まり合うことで、生地５１，５２が互いに組み合わされるので、これら生地５１，５２を強固に接続することができる。
また、シート状部５１１，５２１の幅方向に応じて延出し、当該シート状部５１１，５２１を支持する各嵌め込み部５１２１，５２２１により、当該シート状部５１１，５２１にしわ等の発生を防ぐことができる。また、各嵌め込み部５１２１，５２２１の剛性が比較的高くなくても、当該各嵌め込み部５１２１，５２２１が配列された面５１１Ｂ，５２１Ｂ同士が互いに対向するように、各生地５１，５２が接続される。これによれば、当該反りの原因となる応力を相殺することができる。従って、スクリーン基材５の平面度をより一層高めることができる。
【００３７】
各嵌め込み部５１２１における面５１１Ｂから離れた端部には、当該面５１１Ｂに沿って突出する膨出部５１２２が形成され、また、各嵌め込み部５２２１における面５２１Ｂから離れた端部には、同様の膨出部５２２２が形成されている。これによれば、一方の生地の嵌め込み部間に、他方の生地の嵌め込み部が嵌まり込んだ際に、当該各膨出部５１２２，５２２２同士が互いに噛み合うこととなり、一方の生地からの他方の生地の剥離を防ぐことができる。従って、各生地５１，５２を強固に接続することができるほか、スクリーン基材５の平面度を一層高めることができる。
【００３８】
また、各生地５１，５２は、面５１１Ｂ，５２１Ｂの全面に亘って設けられた嵌め込み部５１２１，５２２１により構成される接続部５１２，５２２により組み合わされるので、これら各生地５１，５２を面で組み合わせることができる。従って、スクリーン基材５の平面性を一層向上することができるほか、各生地５１，５２の剥離をより確実に防止することができる。
【００３９】
筐体２内から各生地５１，５２を引き出す際に、当該生地５１，５２は、組合せ部４により各面５１１Ｂ，５２１Ｂが互いに対向するようにガイドされ、当該各面５１１Ｂ，５２１Ｂに設けられた接続部５１２，５２２同士が互いに接続される。これによれば、当該各生地５１，５２の接続を適切に行うことができる。従って、スクリーン基材５の形成を適切に行うことができる。
また、各巻取軸３１，３２により、筐体２内の生地５１，５２を巻き取ることができるので、筐体２の小型化を図ることができ、ひいては、スクリーン１の小型化を図ることができる。
【００４０】
〔第１実施形態の変形〕
図４は、スクリーン１の変形であるスクリーン１Ａを示す側面図である。
上記スクリーン１と同様の効果は、嵌め込み部の形状が異なる下記スクリーン１Ａによっても奏することができる。
具体的に、スクリーン１Ａは、前述のスクリーン１と同様の機能を有し、スクリーン基材５に代えて、スクリーン基材５Ａを有するほかは、スクリーン１と同様の構成を備える。また、スクリーン基材５Ａは、図４に示すように、接続部５１２，５２２に代えて、複数の嵌め込み部５１３１，５２３１を有する接続部５１３，５２３が面５１１Ｂ，５２１Ｂに設けられているほかは、前述のスクリーン基材５と同様の構成を有する。
【００４１】
嵌め込み部５１３１，５２３１は、それぞれ同じ合成樹脂により形成された棒状部材である。これら嵌め込み部５１３１，５２３１は、前述の嵌め込み部５１２１，５２２１と同様に、面５１１Ｂ，５２１Ｂの幅方向に沿って当該面５１１Ｂ，５２１Ｂを支持するよう延出し、引出方向Ａに沿って等間隔に配設される。
嵌め込み部５１３１は、面５１１Ｂ側の端部が小さく、当該端部とは反対側の端部が大きく形成されている。具体的に、嵌め込み部５１３１における面５１１Ｂ側とは反対側の端部には、当該面５１１Ｂに沿って互いに反対方向に膨出した膨出部５１３２が形成されている。この膨出部５１３２の膨出方向は、生地５１が引き出された際に、引出方向Ａ及び当該引出方向Ａの反対方向となる。このような膨出部５１３２により、嵌め込み部５１３１は、角部が面取り加工された断面視略Ｔ字状に形成されている。
嵌め込み部５２３１は、嵌め込み部５１３１と略同形状を有し、嵌め込み部５２３１における面５２１Ｂ側とは反対側の端部には、膨出部５２３２が形成されている。
【００４２】
巻取軸３１，３２から引き出された生地５１，５２は、前述の組合せ部４により、互いに近接するようにガイドされて、面５１１Ｂと面５２１Ｂとが対向する。そして、当該各生地５１，５２が更に引き出されるに従って、嵌め込み部５１３１，５２３１のうち、一方の嵌め込み部間に、他方の嵌め込み部が嵌合されることで、生地５１，５２は組み合わされる。この際、隣接する２つの嵌め込み部５１３１における面５１１Ｂ側の端部間に、膨出部５２３２が嵌まり込み、また、隣接する２つの嵌め込み部５２３１における面５２１Ｂ側の端部間に、膨出部５１３２が嵌まり込んで、これら膨出部５１３２，５２３２が互いに噛み合う。これにより、生地５１，５２のうち、一方の生地から他方の生地が剥離することが防止される。
このようなスクリーン１Ａによれば、前述のスクリーン１と同様の効果がある。
【００４３】
図５は、スクリーン１の変形であるスクリーン１Ｂを示す側面図である。
更に、スクリーン１と同様の効果は、スクリーン１，１Ａとは嵌め込み部の形状が異なる下記スクリーン１Ｂによっても奏することができる。
具体的に、スクリーン１Ｂは、前述のスクリーン１と同様の機能を有し、スクリーン基材５に代えて、スクリーン基材５Ｂを有するほかは、スクリーン１と同様の構成を備える。また、スクリーン基材５Ｂは、図５に示すように、接続部５１２，５２２に代えて、複数の嵌め込み部５１４１，５２４１を有する接続部５１４，５２４が面５１１Ｂ，５２１Ｂに設けられているほかは、前述のスクリーン基材５と同様の構成を有する。
【００４４】
嵌め込み部５１４１，５２４１は、それぞれ同じ合成樹脂により形成された棒状部材である。これら嵌め込み部５１４１，５２４１は、前述の嵌め込み部５１２１，５２２１と同様に、面５１１Ｂ，５２１Ｂの幅方向に沿って当該面５１１Ｂ，５２１Ｂを支持するように、当該幅方向に沿って延出し、引出方向Ａに沿って等間隔に配設される。
嵌め込み部５１４１は、面５１１Ｂ側の端部が小さく、当該端部とは反対側の端部が大きく形成されている。具体的に、嵌め込み部５１４１における面５１１Ｂ側とは反対側の端部には、面５１１Ｂに沿って互いに反対方向に傾斜するように延出した膨出部５１４２が形成されている。この膨出部５１４２の膨出方向は、生地５１を引き出した際には、引出方向Ａ側及び当該引出方向Ａの反対方向となる。
嵌め込み部５２４１は、嵌め込み部５１４１と略同形状を有し、当該嵌め込み部５２４１における面５２１Ｂ側とは反対側の端部には、膨出部５２４２が形成されている。
【００４５】
このようなスクリーン１Ｂでは、前述のスクリーン１，１Ａと同様に、嵌め込み部５１４１，５２４１のうち、一方の嵌め込み部間に、他方の嵌め込み部が嵌合されることで、生地５１，５２が組み合わされる。この際、隣接する２つの嵌め込み部５１４１における面５１１Ｂ側の端部間に、膨出部５２４２が嵌まり込み、また、隣接する２つの嵌め込み部５２４１における面５２１Ｂ側の端部間に、膨出部５１４２が嵌まり込むことで、これら膨出部５１４２，５２４２が互いに噛み合う。これにより、生地５１，５２のうち、一方から他方が剥離することが防止される。
このようなスクリーン１Ｂによれば、前述のスクリーン１と同様の効果がある。
このように、各生地に配設される嵌め込み部の形状は、一方の生地の嵌め込み部と、他方の嵌め込み部とが互いに嵌まり合う構成であればよく、他の形状でもよい。
【００４６】
〔２．第２実施形態〕
次に、本発明の第２実施形態に係るスクリーンについて説明する。
本実施形態に係るスクリーンは、前述のスクリーン１と同様の構成を有する。ここで、スクリーン１では、接続部５１２と接続部５２２とが互いに噛み合うことにより、各生地５１，５２が組み合わされた。これに対し、本実施形態に係るスクリーンでは、一方の生地の接続部の嵌め込み部間に他方の生地の接続部の嵌め込み部が嵌まり込んで挟持されることにより、当該各生地が組み合わされる。この点で、本実施形態に係るスクリーンとスクリーン１とは相違する。なお、以下の説明では、既に説明した部分と同一または略同一である部分については、同一の符号を付して説明を省略する。
【００４７】
図６は、本実施形態に係るスクリーン１Ｃを示す側面図である。
本実施形態に係るスクリーン１Ｃは、前述のスクリーン１と同様の機能を有し、スクリーン基材５に代えて、スクリーン基材５Ｃを有するほかは、スクリーン１と同様の構成を備える。また、スクリーン基材５Ｃは、図６に示すように、接続部５１２，５２２に代えて、複数の嵌め込み部５１５１，５２５１を有する接続部５１５，５２５が面５１１Ｂ，５２１Ｂに設けられているほかは、前述のスクリーン基材５と同様の構成を有する。
【００４８】
〔嵌め込み部の構成〕
嵌め込み部５１５１，５２５１は、それぞれ同じ合成樹脂により形成された棒状部材であり、断面視略円形状に形成されている。これら嵌め込み部５１５１，５２５１は、前述の嵌め込み部５１２１，５２２１と同様に、面５１１Ｂ，５２１Ｂの幅方向に沿って当該面５１１Ｂ，５２１Ｂを支持するように延出し、引出方向Ａに沿って等間隔に面５１１Ｂ，５２１Ｂに配設される。これら各嵌め込み部５１５１の間隔は、嵌め込み部５２５１における引出方向Ａの外径寸法に応じて設定され、また、各嵌め込み部５２５１の間隔は、嵌め込み部５１５１における引出方向Ａの外径寸法に応じて設定される。このような嵌め込み部５１５１，５２５１のうち、各嵌め込み部５２５１と当接する各嵌め込み部５１５１の外周には、ゴム等の弾性体により形成された弾性部５１５２が設けられている。
【００４９】
生地５１，５２を巻取軸３１，３２から引き出すと、組合せ部４にて、面５１１Ｂと面５２１Ｂとが対向して、嵌め込み部５１５１，５２５１のうち、一方の嵌め込み部間に他方の嵌め込み部が嵌合される。この際、弾性部５１５２が、各嵌め込み部５１５１間に嵌まり込んだ嵌め込み部５２５１に対して内向きの力を作用させる。また、この弾性部５１５２により、嵌め込み部５１５１の摩擦力が大きくなるので、当該各嵌め込み部５１５１間からの嵌め込み部５２５１の脱落が抑制される。これにより、生地５１，５２のうち、一方から他方が剥離することが防止され、これら生地５１，５２が組み合わされた状態を確実に維持することができる。
以上のようなスクリーン１Ｃによれば、前述のスクリーン１と同様の効果がある。
【００５０】
〔３．第３実施形態〕
次に、本発明の第３実施形態について説明する。
本実施形態に係るスクリーンは、前述のスクリーン１と同様の構成を有するが、当該スクリーン１では、面５１１Ｂ，５２１Ｂの幅方向に沿って、当該面５１１Ｂ，５２１Ｂの幅寸法に応じて設けられた嵌め込み部５１２１，５２２１同士が互いに噛み合うことにより各生地５１，５２が組み合わされた。これに対し、本実施形態のスクリーンでは、当該面５１１Ｂ，５２１Ｂの幅方向の両端に互いに嵌まり合う嵌め込み部を備える。この点で、当該スクリーンとスクリーン１とは相違する。なお、以下の説明では、既に説明した部分と同一または略同一である部分については、同一の符号を付して説明を省略する。
【００５１】
図７及び図８は、本実施形態に係るスクリーン１Ｄを示す側面図及び斜視図である。
本実施形態に係るスクリーン１Ｄは、前述のスクリーン１と同様の機能を有し、スクリーン基材５に代えて、スクリーン基材５Ｄを有するほかは、スクリーン１と同様の構成を有する。また、スクリーン基材５Ｄは、図７及び図８に示すように、接続部５１２，５２２に代えて、接続部５１６，５２６が面５１１Ｂ，５２１Ｂに設けられているほかは、スクリーン基材５と同様の構成を有する。
【００５２】
接続部５１６は、複数の嵌め込み部５１６１と、複数の支持部５１６４（図８）とを有する。
嵌め込み部５１６１は、面５１１Ｂにおける幅方向（第２方向）両端に、引出方向Ａ（第１方向）に沿って等間隔に配設される。具体的に、嵌め込み部５１６１は、後述する嵌め込み部５２６１における引出方向Ａの外径寸法に応じて等間隔に面５１１Ｂに配設される。これら嵌め込み部５１６１は、引出方向Ａ側とは反対側の端面に凹部５１６２を有し、また、引出方向Ａ側の端面に、当該引出方向Ａ側に突出した突出部５１６３を有する。
支持部５１６４は、図８に示すように、断面視略円形状を有する棒状に形成されている。これら支持部５１６４は、面５１１Ｂの幅方向に沿って延出して、当該幅方向両端に位置する一対の嵌め込み部５１６１を接続する。また、支持部５１６４は、当該支持部５１６４における面５１１Ｂ側の面の全面に亘って当該面５１１Ｂを支持する。
【００５３】
接続部５２６は、図７及び図８に示すように、嵌め込み部５１６１及び支持部５１６４と略同形状を有する嵌め込み部５２６１及び支持部（図示省略）を複数有する。
嵌め込み部５２６１は、面５２１Ｂの幅方向両端に、嵌め込み部５１６１における引出方向Ａの外径寸法に応じて等間隔に、引出方向Ａに沿って面５２１Ｂに配設される。これら嵌め込み部５２６１は、凹部５１６２及び突出部５１６３と同様の凹部５２６２及び突出部５２６３を有する。
支持部は、面５２１Ｂの幅方向に沿って延出し、当該幅方向両端の一対の嵌め込み部５２６１を接続するほか、当該面５２１Ｂを支持する。
なお、凹部５１６２の内径寸法は、突出部５２６３の外径寸法に対応して設定され、また、凹部５２６２の内径寸法は、突出部５１６３の外径寸法に応じて設定されている。
【００５４】
このような接続部５１６を有する生地５１と、接続部５２６を有する生地５２とは、前述のように、面５１１Ｂと面５２１Ｂとが対向するように、巻取軸３１，３２から引き出される。この際、前述の組合せ部４において、互いに対向する面５１１Ｂ，５２１Ｂの幅方向両端に位置する嵌め込み部５１６１，５２６１が互いに嵌まり合うことで、当該各生地５１，５２が組み合わされる。具体的に、突出部５１６３が凹部５２６２に嵌まり込み、また、突出部５２６３が凹部５１６２に嵌まり込む。そして、生地５１，５２が組み合わされた際は、当該生地５１，５２は、その幅方向両端において引出方向Ａに沿って接続される。これにより、各生地５１，５２に作用する前述の応力を相殺することができ、生地５１，５２のうち、一方から他方が剥離することが防止される。
【００５５】
以上のようなスクリーン１Ｄによれば、前述のスクリーン１と同様の効果がある。
なお、嵌め込み部５１６１，５２６１の構成に代えて、嵌め込み部として生地５１，５２に設けられる務歯と、スクリーン基材に摺動可能に設けられ、かつ、当該務歯を交互に組み合わせるスライダーとを備え、線ファスナーとして構成された接続部を設けてもよい。この場合、筐体２、巻取装置３及び組合せ部４を省くことも可能であり、スクリーンの携帯性を向上させることもできる。
【００５６】
また、スクリーン１Ｄでは、幅方向両端に設けられた一対の嵌め込み部５１６１，５２６１間を接続する支持部５１６４（接続部５２６の支持部は図示省略）を設けたが、当該支持部５１６４を設けずに、嵌め込み部５１６１，５２６１のみを面５１１Ｂ，５２１Ｂの幅方向両端にそれぞれ配置する構成としてもよい。この場合、シート状部５１１，５２１の材料としては、塩化ビニル樹脂（特に、硬質ポリ塩化ビニルや比較的厚い軟質ポリ塩化ビニル）を用いることが好ましい。このような構成にすることにより、支持部が不要となるため、より簡素で軽量なスクリーンを構成することが可能となる。なお、前述の線ファスナーとして構成した接続部においても同様である。
更に、嵌め込み部５１６１，５２６１に代えて、前記第１及び第２実施形態で説明した嵌め込み部と同様の断面を有する嵌め込み部を、生地５１，５２の幅方向両端部にそれぞれ設ける構成としてもよい。
【００５７】
また、嵌め込み部５１６１，５２６１に代えて、互いに磁力により引き合う結合部を面５１１Ｂ，５２１Ｂのそれぞれに設ける構成としてもよい。この場合、生地５１，５２が引き出される際に、生地５１に配設される結合部と、生地５２に配設される結合部とが磁力により互いに引き合うことにより、前述の応力が相殺されるスクリーン基材を構成することができ、当該スクリーン基材の平面度を高めることができる。例えば、結合部が引出方向Ａに沿って各面５１１Ｂ，５２１Ｂのそれぞれに複数配設されていれば、前述のカールの原因となる応力を各生地５１，５２で相殺することができる。また、各結合部が配列方向Ａに沿って、各面５１１Ｂ，５２１Ｂの幅方向両端にそれぞれ複数配設されていれば、当該応力の他、前述の反りの原因となる応力を各生地５１，５２で相殺することができる。従って、当該構成のスクリーンによっても、前述のスクリーン１と同様の効果を奏することができる。なお、この場合においても、面５１１Ｂ，５２１Ｂを幅方向に沿って支持する支持部を設ける構成とすることもできる。
【００５８】
更に、嵌め込み部５１６１，５２６１に代えて、幅方向に沿って延出する支持部の軸方向に沿って生地５１，５２の幅方向両端から延出する延出部を設け、当該延出部を別部材により固定することで、生地５１，５２を組み合わせてもよい。このような場合、当該別部材として、例えば、当該延出部が挿入される孔部を有する環状体が引出方向Ａに沿って複数連結された連結部材を挙げることができる。そして、生地５１，５２が引き出され、一方の生地の支持部間に他方の生地の支持部が嵌まり込んだ後、各環状体の孔部に、一方の生地の延出部と、他方の生地の延出部とが交互に挿入されることで、各支持部を連結することができ、生地５１，５２を組み合わせることができる。このような構成のスクリーンによっても、前述のスクリーン１と同様の効果を奏することができる。なお、この場合においても、当該延出部に対応する構成のみを面５１１Ｂ，５２１Ｂに設ける構成とすることもできる。
【００５９】
〔４．第４実施形態〕
次に、本発明の第４実施形態について説明する。
本実施形態に係るスクリーンは、前述のスクリーン１と同様の構成を有する。ここで、スクリーン１では、各生地５１，５２は、互いに組み合わされる複数の嵌め込み部５１２１，５２２１を備えた接続部５１２，５２２をそれぞれ有する構成であった。これに対し、本実施形態のスクリーンでは、各生地が互いに着脱されるシートにより構成された接続部を有する。この点で、本実施形態のスクリーンとスクリーン１とは相違する。なお、以下の説明では、既に説明した部分と同一または略同一である部分については、同一の符号を付して説明を省略する。
【００６０】
図９は、本実施形態に係るスクリーン１Ｅを示す側面図である。
本実施形態に係るスクリーン１Ｅは、スクリーン基材５に代えて、スクリーン基材５Ｅを備えるほかは、前述のスクリーン１と同様の構成を有する。また、スクリーン基材５Ｅは、図９に示すように、接続部５１２，５２２に代えて、接続部５１７，５２７が面５１１Ｂ，５２１Ｂに設けられているほかは、スクリーン基材５と同様の構成を有する。
接続部５１７，５２７は、それぞれ、生地５１，５２の面５１１Ｂ，５２１Ｂにおける幅方向（第２方向）両端に、引出方向Ａ（第１方向）に沿って設けられる。この接続部５１７，５２７は、互いに着脱自在なシート状の面ファスナーにより構成されている。これら接続部５１７，５２７は、生地５１，５２が引き出された際に、前述の組合せ部４において互いに結合される。これにより、各生地５１，５２が組み合わされ、スクリーン基材５Ｅが構成される。
逆に、各生地５１，５２が巻取軸３１，３２により巻き取られる際には、組合せ部４において、接続部５１７，５２７が互いに離間する。
このようなスクリーン１Ｅによれば、前述のスクリーン１と同様の効果がある。
【００６１】
なお、接続部５１７，５２７は、それぞれ、生地５１，５２の面５１１Ｂ，５２１Ｂにおける幅方向両端に、引出方向Ａに沿って設けられる構成としたが、これに限らない。例えば、生地５１，５２の面５１１Ｂ，５２１Ｂの全面に亘って接続部５１７，５２７を設ける構成としてもよく、或いは、断続的に設ける構成としてもよい。
また、接続部５１７，５２７は、シート状の面ファスナーに限らず、シート状のマグネットにより構成することも可能である。この場合、生地５１，５２が組み合わされた際には、当該各生地５１，５２は、当該シート状のマグネットの延出方向に沿って、互いに面で接続される。このような構成により、前述の嵌め込み部が不要となり非常に簡素でかつ軽量なスクリーンを構成することが可能となる。
【００６２】
〔５．実施形態の変形〕
本発明は前述の実施形態に限定されるものではなく、本発明の目的を達成できる範囲での変形、改良等は本発明に含まれるものである。
前記第１実施形態では、互いに嵌め合わされる嵌め込み部５１２１，５２２１は、面５１１Ｂ，５２１Ｂの幅方向に沿って延出し、当該面５１１Ｂ，５２１Ｂ側の面の全面に亘って接続されて、当該シート状部５１１，５２１を支持するとしたが、本発明はこれに限らない。例えば、当該面５１１Ｂ，５２１Ｂの幅方向に沿って断続的に配設されていてもよい。また、当該面５１１Ｂ，５２１Ｂの幅方向両端にのみ配設されていてもよく、或いは、中央にのみ配設されていてもよい。すなわち、嵌め込み部の位置は、各生地が適切に組み合わされるのであれば、適宜設定可能である。
また、前述のように、面５１１Ｂ，５２１Ｂに配設される嵌め込み部の形状も、前述の嵌め込み部５１２１，５２２１，５１３１，５２３１，５１４１，５２４１の形状に限らず、各生地５１，５２の剥離を防止することができれば、他の形状でもよい。
【００６３】
前記各実施形態では、生地５１，５２は、巻取軸３１，３２により、面５１１Ａ，５２１Ａが内側となるように巻き取られるとしたが、本発明はこれに限らない。すなわち、面５１１Ｂ，５２１Ｂが内側となるように巻き取られる構成としてもよい。このような場合でも、各生地５１，５２を互いに組み合わせることにより、巻取り癖により各生地５１，５２に作用する応力を相殺することができる。
【００６４】
前記第２実施形態では、断面視略円形状の嵌め込み部５１５１の外周に弾性部５１５２を設ける構成としたが、本発明はこれに限らない。すなわち、各生地５１，５２に配設される嵌め込み部の外周に、それぞれ弾性部を設ける構成としてもよい。更に、当該弾性部５１５２は、嵌め込み部５１５１の外周全体に設けられるとしたが、本発明はこれに限らない。すなわち、弾性部は、他方の嵌め込み部が当接する部位にのみ設けられていてもよい。更に、前述の嵌め込み部５１２１，５２２１，５１３１，５２３１，５１４１，５２４１に、当該弾性部を設ける構成としてもよい。
【００６５】
前記各実施形態では、組合せ部４は、一対のローラー４１，４２により構成されるとしたが、本発明はこれに限らない。すなわち、スクリーン基材を構成する各生地を互いに近接させ、当該各生地の接続部同士をそれぞれ接続させることができれば、他の構成でもよい。例えば、一対のガイド部により構成することも可能である。
前記各実施形態では、各生地５１，５２は、巻取軸３１，３２により筐体２内に巻き取られて収納されるとしたが、本発明はこれに限らない。すなわち、生地は、折り畳まれて筐体２内に収納される構成としてもよい。
【００６６】
前記各実施形態では、一対の生地５１，５２により、スクリーン基材５，５Ａ〜５Ｅが構成されるとしたが、本発明はこれに限らない。すなわち、スクリーン基材が複数の生地により構成されるのであれば、当該生地の数は適宜設定可能である。
【００６７】
前記第１及び第２実施形態では、面５１１Ｂ，５２１Ｂに、それぞれ複数の嵌め込み部を有する接続部５１２，５１３，５１４，５１５，５２２，５２３，５２４，５２５を設け、また、前記第３実施形態では、面５１１Ｂ，５２１Ｂに、それぞれ複数の嵌め込み部及び支持部を有する接続部５１６，５２６を設けたが、本発明はこれに限らない。例えば、各嵌め込み部がシート状の部材に配設された接続部が、面５１１Ｂ，５２１Ｂに取り付けられた構成を有していてもよい。
【産業上の利用可能性】
【００６８】
本発明は、スクリーンに利用することができ、特に、ロールスクリーンに好適に利用することができる。
【符号の説明】
【００６９】
１，１Ａ〜１Ｅ…スクリーン、２…筐体、４…組合せ部、５，５Ａ〜５Ｅ…スクリーン基材、３１，３２…巻取軸、５１，５２…生地、５１１，５２１…シート状部、５１２，５１３，５１４，５１５，５１６，５１７，５２２，５２３，５２４，５２５，５２６，５２７…接続部、５１２１，５１３１，５１４１，５１５１，５２２１，５２３１，５２４１，５２５１…嵌め込み部（嵌め込み部、支持部）、５１６１，５２６１…嵌め込み部、５１６４…支持部、５１２２，５１３２，５１４２，５２２２，５２３２，５２４２…膨出部、５１５２…弾性部。
【図１】
2011022260.tif 000003
【図２】
2011022260.tif 000004
【図３】
2011022260.tif 000005
【図４】
2011022260.tif 000006
【図５】
2011022260.tif 000007
【図６】
2011022260.tif 000008
【図７】
2011022260.tif 000009
【図８】
2011022260.tif 000010
【図９】
2011022260.tif 000011